(57)【要約】【課題】電子部品の四隅を上下方向及び水平方向の位置決めに使用しなくても、収納部に電子部品を確実に収納し、保護することができ、電子部品を構成する各種電子素子等の小部品或いは電子素子等と基板等との接触を破損することがないトレーを提供することを目的とする。又、ハイブリッドＩＣモジュールに搭載されている電子素子等の小部品の基板上の設置位置の違いにより生じる各種形状のハイブリッドＩＣモジュールを収納可能な収納部を備えた電子部品用トレーを提供する。【解決手段】収納部は三個の載置台を備え、二個の載置台は上面視略方形の収納部の外縁の一辺の両端内側に底板から凸設し、他の一個の載置台は前記二個の載置台を設けた収納部の外縁の一辺と対向する一辺内側に底板から凸設し、前記二個の載置台の収納部の外縁と重なる二辺上にはＬ字状壁を植立し、前記他の一個の載置台の収納部の外縁と重なる一辺上にはＩ字状壁を植立する。【選択図】  図１
2005067703.tif 000002
【特許請求の範囲】
【請求項１】
電子部品を収納する複数の収納部を有するトレーであって、収納部において収納する電子部品を三点で支持することを特徴とする電子部品用トレー。
【請求項２】
収納部は収納する電子部品を三点で支持するための載置台を備えることを特徴とする請求項１記載の電子部品用トレー。
【請求項３】
収納部は三個の載置台を備えることを特徴とする請求項１記載の電子部品用トレー。
【請求項４】
二個の載置台は上面視略方形の収納部の外縁の一辺の両端内側に底板から凸設し、他の一個の載置台は前記二個の載置台を設けた収納部の外縁の一辺と対向する一辺内側に底板から凸設することを特徴とする請求項３記載の電子部品用トレー。
【請求項５】
直交する二片から成るＬ字状壁を上面視略方形の収納部の外縁の一辺の両端部に設け、平板状のＩ字状壁を該一辺と対向する一辺上に設けることを特徴とする請求項１乃至請求項４記載の電子部品用トレー。
【請求項６】
前記二個の載置台の収納部の外縁と重なる二辺上にはＬ字状壁を植立し、前記他の一個の載置台の収納部の外縁と重なる一辺上にはＩ字状壁を植立することを特徴とする請求項５記載の電子部品用トレー。
【請求項７】
隣接する収納部間に、前記Ｉ字状壁を植立した収納部の外縁の一辺に隣接する二辺上に側面リブの横側面が位置するように、底板２から側面リブを植立することを特徴とする請求項５又は請求項６記載の電子部品用トレー。
【請求項８】
収納部は底板の表面及び裏面の夫々に設けられていることを特徴とする請求項１乃至請求項７記載の電子部品用トレー。
【請求項９】
底板の表面及び裏面の夫々に設けられた収納部は、底板を挟んで対向する位置に設けられることを特徴とする請求項８記載の電子部品用トレー。
【請求項１０】
底板の一面に設けられた前記他の一個の載置台は、底板を挟んで他面に設けられた収納部の外縁の一辺の両端内側に底板から凸設された前記二個の載置台の間に設けることを特徴とする請求項９記載の電子部品用トレー。
【請求項１１】
Ｌ字状壁、Ｉ字状壁及び／又は側面リブの横側面は上方に広がる傾斜状に形成されていることを特徴とする請求項５乃至請求項１０記載の電子部品用トレー。
【請求項１２】
載置台上及び／又はＬ字状壁とＩ字状壁の内壁面及び／又は側面リブの横側面には弾性体を設置したことを特徴とする請求項２乃至請求項１１記載の電子部品用トレー。
【発明の詳細な説明】
【技術分野】
【０００１】
本発明は電子部品用トレイに関し、特に基板上にＩＣパッケージ、チップコンデンサー等の電子小部品、レンズ等を搭載したカメラモジュールその他のハイブリッドＩＣモジュールを収納する電子部品用トレイに関する。
【背景技術】
【０００２】
従来からＩＣパッケージ、ハイブリッドＩＣモジュール等の電子部品は収納部を複数有するトレーに収納され、保管、運搬されている。このようなトレーは上下に重ねて使用し、トレーの下面及び上面に夫々収納部を設けてトレーの上下を反転させることにより電子部品を一方のトレーの上面の収納部から他方のトレーの下面の収納部へ移動させて電子部品を収納部へ保持しつつ電子部品の上面及び下面の両面を露出可能とすることにより各種検査を行えるように構成されている。そして、従来の電子部品用トレーの平面略方形状の収納部は少なくとも四隅に電子部品を載置する台を備えると共に、四辺を囲む側壁を備え、該台により電子部品の上下方向の位置決めをし、側壁により水平方向の位置決めをしていた。（例えば、特許文献１参照。）。勿論、台は収納部の内周縁部にわたって設けられていたり、側壁は収納部の四隅にＬ字状に設けられているものもある。そして、収納された電子部品は上段及び下段の収納部に設けられた台と台に挟まれているのが通常である。
【０００３】
しかし、ハイブリッドＩＣモジュール等の電子部品の基板上にはチップコンデンサー等の各種電子素子がはんだ付け等により固定され、或いは受光素子（ＣＣＤ等）やレンズ等の小部品が搭載され、基板の四隅のうち何れかにこれら電子素子等の小部品が位置する場合がある。このような場合に四隅に台を設けた収納部を備えたトレーを使用すると台の上に電子素子等の小部品を載置することになり、電子素子等或いは電子素子等と基板との接続に負荷がかかり、電子素子等の破損や接触不良の原因となったり、レンズに傷がついたりするため、収納部の四隅に電子部品を載置する台を設け、該台を上下方向の位置決めに用いることは望ましくない。更に、このような電子部品では基板の四隅のうち一隅のみならず二隅、三隅或いは四隅に電子素子等の小部品が位置する場合がある。このような場合には電子部品の隅以外の部分で上下方向の位置決めをする必要がある。又、このような電子部品には様々な多数の小部品が搭載されているため、なるべく少ない点で上下方向の位置決めをすることが望ましい。
【０００４】
【特許文献１】特開２００３−６３５８７
【発明の開示】
【発明が解決しようとする課題】
【０００５】
そこで、本発明は従来の電子部品収納トレーのハイブリッドＩＣモジュール等の電子部品を収納する際の欠点を解消し、電子部品の四隅を上下方向及び水平方向の位置決めに使用しなくても、収納部に電子部品を確実に収納し、保護することができ、電子部品を構成する各種電子素子等の小部品或いは電子素子等と基板等との接触を破損することがないトレーを提供することを目的とする。又、ハイブリッドＩＣモジュールに搭載されている電子素子等の小部品の基板上の設置位置の違いにより生じる各種形状のハイブリッドＩＣモジュールを収納可能な収納部を備えた電子部品用トレーを提供することを目的とする。更に、電子部品の任意の隅を上下方向の位置決めに用いることなく、又、なるべく少ない点で上下方向の位置決めをすることが可能なトレーを提供することを目的とする。
【課題を解決するための手段】
【０００６】
上記課題を解決するための第一の手段は、電子部品を収納する複数の収納部を有するトレーであって、収納部において収納する電子部品を三点で支持することを特徴とする電子部品用トレーである。
【０００７】
第二の手段は、第一の手段において、収納部は収納する電子部品を三点で支持するための載置台を備えることを特徴とする電子部品用トレーである。
【０００８】
第三の手段は、第一の手段において、収納部は三個の載置台を備えることを特徴とする電子部品用トレーである。
【０００９】
第四の手段は、第三の手段において、二個の載置台は上面視略方形の収納部の外縁の一辺の両端内側に底板から凸設し、他の一個の載置台は前記二個の載置台を設けた収納部の外縁の一辺と対向する一辺内側に底板から凸設することを特徴とする電子部品用トレーである。
【００１０】
第五の手段は、第一乃至第四の手段において、直交する二片から成るＬ字状壁を上面視略方形の収納部の外縁の一辺の両端部に設け、平板状のＩ字状壁を該一辺と対向する一辺上に設けることを特徴とする電子部品用トレーである。
【００１１】
第六の手段は、第五の手段において、前記二個の載置台の収納部の外縁と重なる二辺上にはＬ字状壁を植立し、前記他の一個の載置台の収納部の外縁と重なる一辺上にはＩ字状壁を植立することを特徴とする電子部品用トレーである。
【００１２】
第七の手段は、第五又は第六の手段において、隣接する収納部間に、前記Ｉ字状壁を植立した収納部の外縁の一辺に隣接する二辺上に側面リブの横側面が位置するように、底板２から側面リブを植立することを特徴とする電子部品用トレーである。
【００１３】
第八の手段は、第一乃至第七の手段において、収納部は底板の表面及び裏面の夫々に設けられていることを特徴とする電子部品用トレーである。
【００１４】
第九の手段は、第八の手段において、底板の表面及び裏面の夫々に設けられた収納部は、底板を挟んで対向する位置に設けられることを特徴とする電子部品用トレーである。
【００１５】
第十の手段は、第九の手段において、底板の一面に設けられた前記他の一個の載置台は、底板を挟んで他面に設けられた収納部の外縁の一辺の両端内側に底板から凸設された前記二個の載置台の間に設けることを特徴とする電子部品用トレーである。
【００１６】
第十一の手段は、第五乃至第十の手段において、Ｌ字状壁、Ｉ字状壁及び／又は側面リブの横側面は上方に広がる傾斜状に形成されていることを特徴とする電子部品用トレーである。
【００１７】
第十二の手段は、第二乃至第十一の手段において、載置台上及び／又はＬ字状壁とＩ字状壁の内壁面及び／又は側面リブの横側面には弾性体を設置したことを特徴とする電子部品用トレーである。
【発明の効果】
【００１８】
本発明の請求項１乃至４記載の発明によれば、電子部品の四隅を上下方向の位置決めに使用しなくても、収納部に電子部品を確実に収納し、保護することができ、電子部品を構成する各種電子素子等の小部品或いは電子素子等と基板等との接触を破損を防止することが可能となった。又、ハイブリッドＩＣモジュールに搭載されている電子素子等の小部品の基板上の設置位置の違いにより生じる各種形状のハイブリッドＩＣモジュールを収納可能となった。更に、電子部品の任意の隅を上下方向の位置決めに用いることなく、又、なるべく少ない点で上下方向の位置決めをすることが可能となった。
【００１９】
更に請求項５又は６記載の発明によれば、電子部品の四隅を水平方向の位置決めに使用しなくても、収納部に電子部品を確実に収納し、保護することが可能となった。
【００２０】
又、請求項７記載の発明によれば、電子部品の水平方向の位置決めがより強固になり、電子部品の遥動による破損をより防止可能となった。又、請求項８、９及び１０記載の発明によれば、電子部品を収納部へ保持しつつトレーを上下さかさまにすることにより電子部品の上面及び下面の両面を露出可能とすることにより各種検査を容易に行えると共に、電子部品の収納部への保持をより確実とし、電子部品をトレーに安定して収納することが可能となった。
【００２１】
又、請求項１１記載の発明によれば、電子部品のトレーへの出し入れが容易、確実となった。又、請求項１２記載の発明によれば、電子部品をより安全に、破損の恐れなく収納することが可能となった。
【発明を実施するための最良の形態】
【００２２】
以下本発明の実施の形態を図に従って説明する。電子部品用トレー１（以下単にトレー１という）は略長方形の平板状の底板２と底板２の外周に設けた外枠３を備え、底板２の表面２１にはマトリックス状に収納部４１，４１…が、裏面２２にはマトリックス状に収納部４２，４２…が設けられている。底板２にはトレー１の軽量化、材料の削減による低廉化等のために適宜形状適宜数の孔２０，２０…を設けることは推奨される。
【００２３】
トレー１はポリフェニレンエーテル（ＰＰＥ）、液晶ポリマー（ＬＣＰ）、ポリイミド（ＰＩ）、ポリカーボネート（ＰＣ）、ポリエチレン（ＰＥ）、ポリプロピレン（ＰＰ）等の合成樹脂を用いて射出成形等により形成する。又、トレー１の帯電防止のためにこれらの合成樹脂にカーボンブラック等を混合することが望ましく、より好ましくは発塵性のないカーボンナノチューブや高分子導電材等を混合することが望ましい。その他耐熱性、寸法安定性、硬さ等トレー１の性能の向上のために周知の各種充填材を用いることとしてもよい。
【００２４】
底板２の表面２１に設けられる収納部４１は上面視長方形或いは正方形を含む略方形であって、底板２、三個の載置台５１，５２，５３、二個のＬ字状壁６１，６２、一個のＩ字状壁６３及び二個の側面リブ７１，７１により構成されている。即ち、載置台５１，５２，５３により収納部４１に収納する電子部品１０の上下方向の位置決めを行い、Ｌ字状壁６１，６２、Ｉ字状壁６３及び側面リブ７１，７１により水平方向の位置決めを行う。載置台５１，５２，５３は上面が底板２と水平な四角柱形状で、載置台５１，５２は略方形の収納部４１の外縁の一辺の両端内側に底板２から凸設し、載置台５３は載置台５１，５２を設けた収納部４１の外縁の一辺と対向する一辺内側の略中間に底板２から凸設している。載置台５１，５２の収納部４１の外縁と重なる二辺上には収納部４１の角部を形成する直交する二片から成るＬ字状壁６１，６２を植立し、載置台５３の収納部４１の外縁と重なる一辺上には平板状のＩ字状壁６３を植立する。側面リブ７１は隣接する収納部４１，４１間に底板２から植立した平板状のリブで、Ｉ字状壁６３を植立した収納部４１の外縁の一辺に隣接する二辺上にその横側面７１１が位置するように設けている。
【００２５】
載置台５１，５２，５３の高さは収納する電子部品１０に対応させ、電子部品１０が底板２に接触しないように形成する。尚、図面では電子部品１０はレンズ、ＩＣパッケージ等を搭載したカメラモジュールとして図示している。載置台５１，５２，５３の高さは同一に形成するが、収納する電子部品１０に対応させて異なる高さに形成してもよい。Ｌ字状壁６１，６２、Ｉ字状壁６３及び側面リブ７１は収納する電子部品１０に対応させ、電子部品１０の平面方向の位置決めを可能な程度の高さに形成するが、必ずしも電子部品１０より高くする必要はなく、側面視でＬ字状壁６１，６２、Ｉ字状壁６３及び側面リブ７１上端部から電子部品１０が突出していてもよい。Ｌ字状壁６１，６２、Ｉ字状壁６３及び側面リブ７１の高さは同一に形成するが、収納する電子部品１０に対応させて異なる高さに形成してもよい。
【００２６】
トレー１に収納する電子部品１０の出し入れを容易とし、電子部品１０が収納部４１に確実に収納されるようにするために、Ｌ字状壁６１，６２、Ｉ字状壁６３及び側面リブ７１の横側面７１１は収納部４１の開口が上方に広がるようなテーパー状にすることは推奨される。この場合のリブ７１の横側面７１１下端は収納部４１内側から植立し、横側面７１１が載置台５１，５２，５３に載置された電子部品１０の側面底端部を支持可能なように傾斜を形成する。
【００２７】
載置台５１，５２，５３の形状は電子部品を載置可能であれば特に限定されず、必ずしも上面が底板２と水平な四角柱形状でなくてもよく、上面が底板２と水平な円柱、三角柱、その他の多角柱、又は円錐、多角錐、或いは先端が半球形等の形状にしてもよく、側面リブ７１は必ずしも隣接する収納部４１，４１間に渡って平板状の一枚のリブを設けることはなく、隣接する収納部４１，４１間に上述のような横側面７１１と同様な横側面を備える二枚の独立した平板状或いは棒状等の側面リブを設けて隣接する収納部４１，４１の夫々に専用のリブとしてもよく、又、側面リブ７１の中間部を適宜深さ、幅に切欠くこととしてもよい。尚、側面リブ７１を設けないこととしてもよい。
【００２８】
底板２の裏面２２に設けられる収納部４２は上面視長方形或いは正方形を含む略方形であって、底板２、三個の載置台５４，５５，５６、二個のＬ字状壁６４，６５、一個のＩ字状壁６６及び二個の側面リブ７２，７２により構成されている。即ち、載置台５４，５５，５６により収納部４２に収納する電子部品１０の上下方向の位置決めを行い、Ｌ字状壁６４，６５、Ｉ字状壁６６及び側面リブ７２，７２により水平方向の位置決めを行う。載置台５４，５５は上面が底板２と水平な三角柱形状、載置台５６は上面が底板２と水平な四角柱形状で、載置台５４，５５は略方形の収納部４２の外縁の一辺の両端内側に底板２から凸設し、載置台５６は載置台５４，５５を設けた収納部４２の外縁の一辺と対向する一辺内側の略中間に底板２から凸設している。載置台５４，５５の収納部４２の外縁と重なる二辺上には収納部４２の角部を形成する直交する二片から成るＬ字状壁６４，６５を植立し、載置台５６の収納部４２の外縁と重なる一辺上には平板状のＩ字状壁６６を植立する。側面リブ７２は隣接する収納部４２，４２間に底板２から植立した平板状のリブで、Ｉ字状壁６４を植立した収納部４２の外縁の一辺に隣接する二辺上にその横側面７２１が位置するように設けている。
【００２９】
載置台５４，５５，５６の高さは収納する電子部品１０に対応させ、電子部品１０が底板２に接触しないように形成する。載置台５４，５５の高さは同一に形成し、載置台５６とは異なる高さに形成するが、収納する電子部品１０に対応させて総て同一の高さに或いは夫々異なる高さに形成してもよい。Ｌ字状壁６４，６５、Ｉ字状壁６６及び側面リブ７２は収納する電子部品１０に対応させ、電子部品１０の平面方向の位置決めを可能な程度の高さに形成するが、必ずしも電子部品１０より高くする必要はなく、側面視でＬ字状壁６４，６５、Ｉ字状壁６６及び側面リブ７２上端部から電子部品１０が突出していてもよい。Ｌ字状壁６４，６５の高さは同一に形成し、Ｉ字状壁６６と側面リブ７２の高さはＬ字状壁６４，６５異ならせて同一に形成するが、収納する電子部品１０に対応させて夫々適宜異なる或いは同一の高さに形成してもよい。
【００３０】
トレー１に収納する電子部品１０の出し入れを容易とし、電子部品１０が収納部４２に確実に収納されるようにするために、Ｌ字状壁６４，６５、Ｉ字状壁６６及び側面リブ７２の横側面７２１は収納部４２の開口が上方に広がるようなテーパー状にすることは推奨される。この場合の側面リブ７２の横側面７２１下端は収納部４２内側から植立し、横側面７２１が載置台５４，５５，５６に載置された電子部品１０の底端部を支持可能なように傾斜を形成する。
【００３１】
載置台５４，５５，５６の形状は電子部品を載置可能であれば特に限定されず、必ずしも上面が底板２と水平な四角柱或いは三角柱形状でなくてもよく、上面が底板２と水平な円柱、四角柱、三角柱、その他の多角柱、又は円錐、多角錐、或いは先端が半球形等の形状にしてもよく、側面リブ７２は必ずしも隣接する収納部４２，４２間に渡って平板状の一枚のリブを設けることはなく、隣接する収納部４２，４２間に上述のような横側面７２１と同様な横側面を備える二枚の独立した平板状或いは棒状等の側面リブを設けて隣接する収納部４２，４２の夫々に専用のリブとしてもよく、又、側面リブ７２の中間部を適宜深さ、幅に切欠くこととしてもよい。尚、側面リブ７２を設けないこととしてもよい。
【００３２】
収納部４１，４２は底板２を挟んで対向する位置に設け、載置台５３及びＩ字状壁６３は底板２を挟んで載置台５４及びＬ字状壁６４と載置台５５及びＬ字状壁６５の間に設け、載置台５６及びＩ字状壁６６は底板２を挟んで載置台５１及びＬ字状壁６１と載置台５２及びＬ字状壁６２の間に設け、
側面リブ７１，７２は底板２を挟んで異なる位置に平行に設ける。
【００３３】
尚、トレー１，１を重ねた際に載置台５３と載置台５４，５５間の高さ及び載置台５６と載置台５１，５２間の高さが収納する電子部品１０の厚さと同等となるように載置台５１，５２，５３，５４，５５，５６の高さを形成するが、電子部品１０と０．１ｍｍ乃至０．５ｍｍ程度の隙間が生じるように形成することとしてもよい。又、表面２１を上述の裏面２２のような構成とし、裏面２２を上述の表面２１のような構成としてトレー１を形成してもよい。載置台５１，５２，５３，５４，５５，５６の総て或いは一部はトレー１の軽量化、材料の削減による低廉化等のために中空状に形成し、載置台５１，５２，５３，５４，５５，５６が夫々植立された面と反対面に開口する中空部５０を設けることは推奨される。
【００３４】
外枠３は底板２外周から表面２１を上に向けた場合の上方へ植立した内壁３１と内壁３１の上端から外側下方へ階段形状に構成した外壁３２から構成され、階段形状の外壁３２の略中間に外方へ張出した段部３２１を備え、段部３２１から更に下方へ脚部３２２を、脚部３２２の下端がＩ字状壁６６及び側面リブ７２の上端が接する平面上に位置するように延設している。
【００３５】
収納部４１に電子部品１０を収納する場合には、電子部品１０を載置台５１，５２，５３上に載置し、載置台５１，５２，５３の三点で電子部品１０を支持して上下方向の位置決めが行われ、電子部品１０の側面がＬ字状壁６１，６２、Ｉ字状壁６３及び側面リブ７１，７１に対向或いは接触し、Ｌ字状壁６１，６２、Ｉ字状壁６３及び側面リブ７１，７１で電子部品１０を包囲して水平方向の位置決めが行われている。
【００３６】
収納部４２に電子部品１０を収納する場合には、電子部品１０を載置台５４，５５，５６上に載置し、載置台５４，５５，５６の三点で電子部品１０を支持して上下方向の位置決めが行われ、電子部品１０の側面がＬ字状壁６４，６５、Ｉ字状壁６６及び側面リブ７２，７２に対向或いは接触し、Ｌ字状壁６４，６５、Ｉ字状壁６６及び側面リブ７２，７２で電子部品１０を包囲して水平方向の位置決めが行われている。
【００３７】
下段のトレー１の段部３２１に上段のトレー１の脚部３２２を載置してトレー１，１…を重ねた際にはＩ字状壁６６がＬ字状壁６１，６２間に、Ｉ字状壁６３がＬ字状壁６４，６５間に挿入され、側面リブ７１，７１は側面リブ７２とＬ字状壁６４及び側面リブ７２とＬ字状壁６５間に挿入され、或いは側面リブ７１，７１は側面リブ７２を挟んでＬ字状壁６４及びＬ字状壁６５と反対側に位置し、側面リブ７１，７２は適宜距離を保って平行に位置する。
【００３８】
このようにして収納部４１，４２が対向し、結合して収納部４を構成する。トレー１に収納された電子部品１０は四隅をＬ字状壁６１，６２，６４，６５で、四側面をＩ字状壁６３，６６及び側面リブ７１，７１，７２，７２で囲まれると共に、上下面を載置台５１，５２と載置台５６及び載置台５４，５５と載置台５３で挟まれ、固定される。重ねたトレー１，１を逆さまにすることにより電子部品１０は収納部４１から収納部４２又は収納部４２から収納部４１へ上面下面をさかさまにして収納される。
【００３９】
又、他の実施の形態としては、載置台５１，５２，５３の位置関係及び載置台５４，５５，５６の位置関係は上述の位置に限定されず、収納する電子部品１０に対応させて適宜変更可能であり、何れかの或いは総ての載置台を収納部４１乃至４２の外縁の一辺上に位置させずに収納部４１乃至４２の内部に設けることとしてもよい。いずれにしても載置台５１，５２，５３と載置台５４，５５，５６は夫々三角形を形成し、各載置台が三角形の頂点に位置するように設置すればよい。載置台５１，５２，５３，５４，５５，５６の何れかが収納部４１乃至４２の外縁の一辺上に位置しない場合には対応する何れかのＬ字状壁６１，６２，６４，６５、Ｉ字状壁６３，６６は底板２から植立すればよい。又、収納部４１又は／及び収納部４２に三箇所の凸部を有する一個の載置台を底板２から植立して電子部品１０を支持することとしてもよい。
【００４０】
又、平板状の底板から載置台５１，５２，５３，５４，５５，５６更にＬ字状壁６１，６２，６４，６５、Ｉ字状壁６３，６６を植立するのではなく、トレー１に複数設けた凹部を収納部として該収納部内に上述のような載置台を設けることとしてもよい。又、Ｌ字状壁６１，６２，６４，６５、Ｉ字状壁６３，６６を設けるのではなく、底板２上に収納部４１，４２を画定する横断面方形の壁を設け、該壁に適宜切欠部を設けることとしてもよい。或いは、載置台５１，５２，５３，５４，５５，５６の位置関係は上述の通り構成し、載置台５１，５２，５３，５４，５５，５６からＬ字状壁６１，６２，６４，６５、Ｉ字状壁６３，６６を植立するのではなく、載置台５１，５２間、載置台５４，５５間に底板２からＩ字状壁を植立すると共に、載置台５３，５６の両脇に底板２からＬ字状壁を植立することとしてもよい。
【００４１】
又、Ｌ字状壁の角部或いはその他の部分又はＩ字状壁に適宜に切欠部を設けることとしてもよい。又、載置台５１乃至５６上及び／又はＬ字状壁６１乃至６５とＩ字状壁６３，６６の内壁面及び／又は側面リブ７１，７２の横側面７１１，７２１には合成樹脂製の板ばね、ゴム、エラストマー等或いは弾性を有する合成樹脂等の薄膜等の弾性体を設置することとしてもよい。
【図面の簡単な説明】
【００４２】
【図１】本発明一実施例部分上面図
【図２】本発明一実施例部分下面図
【図３】本発明一実施例上面図
【図４】本発明一実施例重ね合せ状態における図１Ｘ−Ｘ断面図
【図５】本発明一実施例重ね合せ状態における図１Ｙ−Ｙ断面図
【図６】本発明一実施例重ね合せ状態における図１ＹＹ−ＹＹ断面図
【符号の説明】
【００４３】
１      電子部品用トレー
２      底板
２０    孔
２１    表面
２２    裏面
３      外枠
３２１  段部
３２２  脚部
４      収納部
４１    収納部
４２    収納部
５０    中空部
５１    載置台
５２    載置台
５３    載置台
５４    載置台
５５    載置台
５６    載置台
６１    Ｌ字状壁
６２    Ｌ字状壁
６３    Ｉ字状壁
６４    Ｌ字状壁
６５    Ｌ字状壁
６６    Ｉ字状壁
７１    側面リブ
７２    側面リブ
【図１】
2005067703.tif 000003
【図２】
2005067703.tif 000004
【図３】
2005067703.tif 000005
【図４】
2005067703.tif 000006
【図５】
2005067703.tif 000007
【図６】
2005067703.tif 000008
【手続補正書】
【提出日】平成15年8月27日(2003.8.27)
【手続補正２】
【補正対象書類名】明細書
【補正対象項目名】０００１
【補正方法】変更
【補正の内容】
【０００１】
本発明は電子部品用トレーに関し、特に基板上にＩＣパッケージ、チップコンデンサー等の電子小部品、レンズ等を搭載したカメラモジュールその他のハイブリッドＩＣモジュールを収納する電子部品用トレーに関する。